【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
無線通信システム用の移動体端末に組み込まれるプラットフォーム・システムであって、
移動体端末プラットフォーム・アセンブリと、
前記移動体端末プラットフォーム・アセンブリにロードされ、インストールされ、実行されるアプリケーション・ソフトウエアとを有し、
前記移動体端末プラットフォーム・アセンブリは、
ソフトウエア・サービス・コンポーネントと、
複数の機能的ソフトウエア・ユニットと関連し、かつそれらによって制御される複数のハードウエア・ユニットを有するハードウエア・コンポーネントと、
前記移動体端末プラットフォーム・アセンブリへのアクセスを提供するよう適合した少なくとも１つのインタフェースを有するインタフェース・コンポーネントとを含み、
前記アプリケーション・ソフトウエアは、前記インタフェース・コンポーネントの前記少なくとも１つのインタフェースを介してロード、インストール、実行され、
前記ソフトウエア・サービス・コンポーネントは、複数の垂直的機能的スタックに構成され、さらには、高位レベルのサービスレイヤから低位レベルのサービスレイヤへの順に複数の水平的レイヤで構成されていることを特徴とするプラットフォーム・システム。
【請求項２】
前記少なくとも１つのインタフェースは、前記アプリケーションを前記移動体端末プラットフォーム・アセンブリにロードし、インストールし、実行するために前記移動体端末プラットフォーム・アセンブリへのアクセスを提供することを特徴とする請求項１に記載のプラットフォーム・システム。
【請求項３】
前記複数の垂直的機能的スタックのそれぞれが更に、前記ハードウエア・コンポーネントの関連するハードウエアを含むことを特徴とする請求項２に記載のプラットフォーム・システム。
【請求項４】
前記インタフェース・コンポーネントが、前記アプリケーション・ソフトウエアに前記移動体端末プラットフォーム・アセンブリへのアクセスを提供する前記少なくとも１つのインタフェースを含む、ミドルウエア・サービス・レイヤを備えることを特徴とする請求項１に記載のプラットフォーム・システム。
【請求項５】
前記ミドルウエア・サービス・レイヤは更に、前記アプリケーション・ソフトウエアを前記移動体端末プラットフォーム・アセンブリから孤立させるように適合されていることを特徴とする請求項４に記載のプラットフォーム・システム。
【請求項６】
前記ミドルウエア・サービス・レイヤは、前記少なくとも１つのインタフェースを用いて前記アプリケーション・ソフトウエアを前記移動体端末プラットフォーム・アセンブリから孤立させるように適合されていることを特徴とする請求項５に記載のプラットフォーム・システム。
【請求項７】
前記ミドルウエア・サービス・レイヤは、前記少なくとも１つのインタフェースを介すること以外は、前記アプリケーション・ソフトウエアを前記移動体端末プラットフォーム・アセンブリから孤立させるように適合されていることを特徴とする請求項５に記載のプラットフォーム・システム。
【請求項８】
前記ソフトウエア・サービス・コンポーネントのソフトウエアが更に、複数のソフトウエア・モジュールに構成されていることを特徴とする請求項１に記載のプラットフォーム・システム。
【請求項９】
前記複数の機能的ソフトウエア・ユニットの少なくとも１つが、アプリケーションにセキュリティ機能を提供するセキュリティ・メカニズムを備えることを特徴とする請求項１に記載のプラットフォーム・システム。
【請求項１０】
前記複数の垂直的機能的スタックは、複数の機能的ソフトウエア・コンポーネントと複数のハードウエア・コンポーネントとを有し、
前記ハードウエア・コンポーネントは、着脱可能か固定の内の少なくともいずれかである暗号化サービス用ハードウエアを含むことを特徴とする請求項９に記載のプラットフォーム・システム。
【請求項１１】
前記着脱可能な暗号化サービス用ハードウエアはリムーバブル・スマートカードであることを特徴とする請求項１０に記載のプラットフォーム・システム。
【請求項１２】
前記固定の暗号化サービス用ハードウエアはビルトイン・スマートカード、或いは特殊な組込型暗号化ハードウエアであることを特徴とする請求項１０に記載のプラットフォーム・システム。
【請求項１３】
前記無線通信システムが、セルラ通信システムを含むことを特徴とする請求項１に記載のプラットフォーム・システム。
【請求項１４】
前記セルラ通信システムが、第３世代のセルラ通信システムを含むことを特徴とする請求項１３に記載のプラットフォーム・システム。
【請求項１５】
無線通信システム用のプラットフォーム・システムの移動体端末プラットフォーム・アセンブリであって、
ソフトウエア・サービス・コンポーネントと、
複数の機能的ソフトウエア・ユニットに関連し、かつそれらによって制御される複数のハードウエア・ユニットを有するハードウエア・コンポーネントと、
少なくとも１つのアプリケーションを前記移動体端末プラットフォーム・アセンブリにロードし、インストールし、実行させるために、前記少なくとも１つのアプリケーションに前記移動体端末プラットフォーム・アセンブリへのアクセスを提供する、少なくとも１つのインタフェースを有するインタフェース・コンポーネントとを備え、
前記ソフトウエア・サービス・コンポーネントは、複数の垂直的機能的スタックに構成され、さらには、高位レベルのサービスレイヤから低位レベルのサービスレイヤへの順に複数の水平的レイヤで構成されていることを特徴とする移動体端末プラットフォーム・アセンブリ。
【請求項１６】
前記複数の垂直的機能的スタックのそれぞれが更に、前記ハードウエア・コンポーネントの関連するハードウエアを含むことを特徴とする請求項１５に記載の移動体端末プラットフォーム・アセンブリ。
【請求項１７】
前記インタフェース・コンポーネントは、前記少なくとも１つのアプリケーションに前記移動体端末プラットフォーム・アセンブリへのアクセスを提供する前記少なくとも１つのインタフェースを含むと共に、前記少なくとも１つのインタフェースを介したのを除いて、前記少なくとも１つのアプリケーションを前記移動体端末プラットフォーム・アセンブリから孤立させるミドルウエア・サービス・レイヤを備えることを特徴とする請求項１５に記載の移動体端末プラットフォーム・アセンブリ。
【請求項１８】
前記ソフトウエア・サービス・コンポーネントのソフトウエアが更に、複数のソフトウエア・モジュールに構成されていることを特徴とする請求項１５に記載の移動体端末プラットフォーム・アセンブリ。
【請求項１９】
前記複数の機能的ソフトウエア・ユニットの少なくとも１つが、アプリケーションにセキュリティ機能を提供するセキュリティ・メカニズムを備えることを特徴とする請求項１５に記載の移動体端末プラットフォーム・アセンブリ。
【請求項２０】
前記複数の垂直的機能的スタックは、複数の機能的ソフトウエア・コンポーネントと複数のハードウエア・コンポーネントとを有し、
前記ハードウエア・コンポーネントは、着脱可能か固定の内の少なくともいずれかである暗号化サービス用ハードウエアを含むことを特徴とする請求項１９に記載の移動体端末プラットフォーム・アセンブリ。
【請求項２１】
前記着脱可能な暗号化サービス用ハードウエアはリムーバブル・スマートカードであることを特徴とする請求項２０に記載の移動体端末プラットフォーム・アセンブリ。
【請求項２２】
前記固定の暗号化サービス用ハードウエアはビルトイン・スマートカード、或いは特殊な組込型暗号化ハードウエアであることを特徴とする請求項２０に記載の移動体端末プラットフォーム・アセンブリ。
【請求項２３】
前記無線通信システムが、セルラ通信システムを含むことを特徴とする請求項１５に記載の移動体端末プラットフォーム・アセンブリ。
【請求項２４】
前記セルラ通信システムが、第３世代のセルラ通信システムを含むことを特徴とする請求項２３に記載の移動体端末プラットフォーム・アセンブリ。
【請求項２５】
無線通信システム用の移動体端末に組み込むのに適合したプラットフォーム・システムを提供する方法であって、
ソフトウエア・サービス・コンポーネントと、複数の機能的ソフトウエア・ユニットによって制御される複数のハードウエア・ユニットを有するハードウエア・コンポーネントと、少なくとも１つのインタフェースを有するインタフェース・コンポーネントとを含む移動体端末プラットフォーム・アセンブリを組み立てるステップと、
前記インタフェース・コンポーネントの前記少なくとも１つのインタフェースを介して、少なくとも１つのアプリケーション・ソフトウエアを、前記移動体端末プラットフォーム・アセンブリに追加するステップとを備え、
前記ソフトウエア・サービス・コンポーネントは、複数の垂直的機能的スタックに構成され、さらには、高位レベルのサービスレイヤから低位レベルのサービスレイヤへの順に複数の水平的レイヤで構成されており、
前記少なくとも１つのインタフェースは、前記移動体端末プラットフォーム・アセンブリへのアクセスを提供することを特徴とする方法。
【請求項２６】
前記少なくとも１つのアプリケーション・ソフトウエアを追加するステップは、ユーザのエントリに応答して実行されることを特徴とする請求項２５に記載の方法。
【請求項２７】
前記少なくとも１つのアプリケーション・ソフトウエアを前記移動体端末プラットフォーム・アセンブリに追加する前記ステップの前に、前記移動体端末プラットフォーム・アセンブリを前記ユーザに譲渡するステップを更に含むことを特徴とする請求項２６に記載の方法。
【請求項２８】
前記少なくとも１つのアプリケーション・ソフトウエアを追加するステップは、前記インタフェース・コンポーネントの前記少なくとも１つのインタフェースを介して、前記移動体端末プラットフォーム・アセンブリに前記少なくとも１つのアプリケーション・ソフトウエアをロードし、インストールし、実行するステップを含むことを特徴とする請求項２５に記載の方法。
【請求項２９】
無線通信システムの移動体端末用のプラットフォーム・システムを提供する方法であって、
複数の機能的ソフトウエア・ユニットを有するソフトウエア・サービス・コンポーネントと、前記複数の機能的ソフトウエア・ユニットによって制御される複数のハードウエア・ユニットを有するハードウエア・コンポーネントと、少なくとも１つのインタフェースを有するインタフェース・コンポーネントを含む移動体端末プラットフォーム・アセンブリを製造者が製造するステップと、
前記移動体端末プラットフォーム・アセンブリをユーザに譲渡するステップと、
前記ユーザが、前記インタフェース・コンポーネントの少なくとも１つのインタフェースを介して、前記移動体端末プラットフォーム・アセンブリに少なくとも１つのアプリケーション・ソフトウエアを追加するステップとを備え、
前記少なくとも１つのインタフェースは前記移動体端末プラットフォーム・アセンブリへのアクセスを提供することを特徴とする方法。
【請求項３０】
前記少なくとも１つのアプリケーション・ソフトウエアを前記移動体端末プラットフォーム・アセンブリに追加する前記ステップの前に、前記少なくとも１つのアプリケーション・ソフトウエアを開発するステップをさらに備え、
前記少なくとも１つのアプリケーション・ソフトウエアを開発するステップは前記ユーザにより実行されることを特徴とする請求項２９に記載の方法。